(57)【要約】【解決手段】管体固定具は、上側部材１および下側部材２を備えており、これら上側部材および下側部材が、ヒンジ４を介して、旋回可能に結合されている。閉鎖のために、結合要素１５、１６が設けられている。この管体固定具は、下側の載置面７、および、上側の載置面６を有しており、これら載置面が、少なくとも２つの管体固定具の積み重ねを、重なり合った状態で可能にする。支持要素１０における予組み付け、および固定のために、この下側部材２内において穿孔８が、および、ねじの様式における固定手段９が設けられている。
2006500530.tif 000002
【特許請求の範囲】
【請求項１】
管体のための貫通開口部（３）を囲繞する、上側部材（１）および下側部材（２）を備える管体固定具であって、その際、
これら両方の部材（１、２）が、一方の側において、ヒンジ（４）を介して互いに結合されており、且つ、他方の側で、解離可能な固定要素（５）を有している様式の上記管体固定具において、
上側部材（１）、および下側部材（２）が、それぞれ１つの、外方へと整向され且つ互いに平行に位置している載置面（６、７）を有しており、
この下側部材（２）内において、貫通開口部（３）からアクセス可能な、管体固定具（１、２）と支持要素（１０）との間の固定手段（９）の収容のための役割を果たす、穿孔（８）設けられており、且つ、
少なくともこの管体固定具の側方領域（１１、１２）内において、貫通孔（１３、１４）が、管体固定具（１、２）と支持要素（１０）との間の付加的な結合要素の収容のために、設けられていることを特徴とする管体固定具。
【請求項２】
管体固定具の両方の部材（１、２）の一方の側における、解離可能な固定要素（５）は、スナップ式ロック部であり、且つ、
この下側部材（２）、またはこの上側部材（１）に、弾力のある結合要素（１５）が、および、この管体固定具の他方の部材に、適当な拘束部材（１６）が設けられていることを特徴とする請求項１に記載の管体固定具。
【請求項３】
下側部材（２）は、側方部分（１７、１８）を有しており、これら側方部分が、管体のための貫通開口部（３）の中心軸線（１９）を越えて、上側部材（１）の方向に延在していることを特徴とする請求項１または２に記載の管体固定具。
【請求項４】
上側部材（１）は、管体のための貫通開口部（３）の周囲の、ただ１８０°以下の領域にわたってだけ延在しており、且つ、この上側部材（１）の、ヒンジ（４）を備える端部領域（２０）が、ほぼ、この管体のための貫通開口部（３）の長手方向軸線と、この管体固定具の両方の部材（１、２）の間のヒンジ（４）の軸線（２２）とを通って配置されている、仮想の面（２１）によって区画されていることを特徴とする請求項１から３のいずれか一つに記載の管体固定具。
【請求項５】
管体固定具の両方の側方領域（１１、１２）は、それぞれ１つの付加的な結合要素のための、それぞれ１つの貫通孔（１３、１４）を有していることを特徴とする請求項１から４のいずれか一つに記載の管体固定具。
【請求項６】
多数の管体固定具は、重なり合って積み重ね可能であり、且つ、
その際、それぞれ２つの管体固定具の間で、外方へと整向された載置面（６、７）が、接し合って隣接し、並びに、
これら管体固定具が、少なくとも１つの、これら管体固定具の側方領域（１１、１２）内における貫通孔（１３、１４）を通って差し込まれた結合要素を用いて、互いに結合されている、
ことを特徴とする請求項１から５のいずれか一つに記載の管体固定具。
【請求項７】
管体固定具は、閉鎖された状態において、直方体形状の外側形状を有することを特徴とする請求項１から６のいずれか一つに記載の管体固定具。
【発明の詳細な説明】
【技術分野】
【０００１】
本発明は、管体のための貫通開口部を囲繞する、上側部材および下側部材を備える管体固定具であって、その際、
これら両方の部材が、一方の側において、ヒンジを介して互いに結合されており、且つ、他方の側で、解離可能な固定要素を有している様式の上記管体固定具に関する。
【背景技術】
【０００２】
この様式の管体固定具は、例えば、ヨーロッパ特許出願公開第６０２  ４５６号明細書（特許文献１）から公知である。ここで記載された管体固定具は、それぞれ１つの半円形の下側部材および上側部材から成っており、これら部材が、差込みヒンジを介して、旋回可能に互いに結合されている。この管体固定具の両方の部材の、このヒンジと相対して位置している側面上に連接板が設けられており、この管体固定具のこれら両方の部材を一緒に締付ける（zusammenzuspannen）ために、これら連接板に、一方ではナットが、および他方ではねじが設けられている。それに加えて、この管体固定具は、１つの部分において、この管体固定具の固定をねじ付きピンにおいて可能とするねじ付きナットを有している。この様式の管体固定具は、個別の管体を固定するために適している。しかしながら、多数の面内において重なり合って位置する如何なる管体も固定され得ない。それに加えて、ねじ結合を介してのこの管体固定具の閉鎖も面倒であり、且つ、なかなか外側からアクセスできない位置において困難である。特に車両構造内において、多数の管体を互いに並列して固定することは、しかしながらしばしば必要であり、および付加的に、同様に多数の管体も、多数の層状態内において重なり合って配設され得る。これら管体のこの様式のグループの固定は、実際上、ただ複雑な付加的装置だけでもって可能であり、且つ、著しい経費を必要とする。
【特許文献１】ヨーロッパ特許出願公開第６０２  ４５６号明細書
【発明の開示】
【発明が解決しようとする課題】
【０００３】
従って、本発明の課題は、支持要素に、特に、車両構造内において慣用されているような支持レールに、簡単に予組み付けされ得る、管体固定具を提供することである。更に続けて、この管体固定具は、積み重ね可能であり、従って、管体の多数の層が、重なり合って配設され、且つ同時に、この管体固定具が、簡単に閉鎖可能であり、並びに、軽い負荷のためにも重い負荷のためにも適している。
【課題を解決するための手段】
【０００４】
この課題は、請求項１内において明確に規定された特徴によって解決される。本発明の有利な更なる構成は、従属請求項内において明確に規定されている。
【発明の効果】
【０００５】
上側部材および下側部材のそれぞれ１つの載置面  −その際、これら載置面が、外方へと整向され、且つ互いに平行に設けられている−  の配設は、支持要素におけるこの下側部材の簡略化された固定を可能にし、且つ、２つまたは多数の本発明による様式の管体固定具の、確実な互いの積み重ねを許容する。この管体固定具の下側部材内において、穿孔が設けられており、この穿孔が、管体のための貫通開口部を起点として延び、且つ、この下側部材の載置面において抜け出ている。この貫通開口部内へと、固定手段、例えばねじが挿入可能であり、これによって、この管体固定具の下側部材が支持要素に、例えば支持レール内において滑動する状態で配設されたナットに固定される。このことによって、この下側部材、即ち管体固定具は、簡単な方法で、予組み付けされる。付加的に、この管体固定具の両方の部材の解離可能な固定要素として、この管体固定具の一方の側方領域内において貫通孔が設けられており、この貫通孔が、付加的な結合要素の収容部の役目を果たす。この結合要素は、この支持要素における管体固定具の付加的な固定を可能にし、且つ、付加的に、この管体固定具の両方の部材の、補強された状態での一緒の締付けを可能にする。このことは、例えば、この貫通孔を通って差し込まれ、且つ支持要素内においてナットと結合されている、ねじによって行われる。この配設によって、付加的な力が収容され、且つ、本発明による上側部材は、従って、同様に重い負荷のためにも適している。極めて重い負荷は、この管体固定具の両方の側方領域に、２つの結合要素の付加的な収容のための貫通孔が設けられている場合に収容される。
【０００６】
スナップ式ロック部としての、管体固定具の上側部材と下側部材との間の解離可能な固定要素の構成は、管体が挿入されるやいなや、この管体固定具の簡単な閉鎖を可能とする。軽い負荷から中くらいの大きさの負荷に至るまでを、比較的に確実に収容可能とするために、このスナップ式ロック部は、この管体固定具の上側部材と下側部材を、十分に大きな閉鎖力でもって結合する。これらの場合、付加的な結合要素の装着は、この管体固定具の側方領域において必要ではない。このスナップ式ロック部は、同様に容易に解離可能でもあり、従って、管体配管の改造を容易にする。このスナップ式ロック部は、下側部材または上側部材に設けられた、弾力のある結合要素、および、この管体固定具の他方の部材に設けられた、適当な拘束部材から成っている。これら部材は、この管体固定具の上側部材および下側部材がヒンジを中心としての旋回によって閉鎖されるやいなや、フック状に、且つ弾力的に互いの中へ係合する。更なる利点は、この管体固定具の下側部材が、管体のための貫通開口部の中心軸線を越えてこの上側部材の方向に延在する、側方部分を有していることによって与えられる。このことによって、側方案内部が形成され、且つ、これら側方案内部が、挿入された管体を、この管体固定具が閉鎖されるまで、比較的に良好に所望の位置内において保持する。それに加えて、このことによって、この管体固定具の上側部材が、半部材を形成するのではなく、むしろ比較的に小さく構成され得ることの可能性が開ける。このことによって、僅かなスペースが外に旋回して外れるために必要であり、且つ、管体固定具が、直接的に側方で接し合って当接され得る。それに加えて、この配設は、この管体固定具の最も上側のエッジ部における、上側部材と下側部材との間のヒンジの配設を可能にする。この有利な構造様式は、同様に、隣接する管体固定具の、側方に押して間隔を詰めること（Zusammenschieben）を容易にし、および、案内された状態の管体の最適、且つコンパクトな配設を可能にする。本発明による配設の更なる利点は、上側部材が、この管体のための貫通開口部の周囲の、ただ１８０°以下の領域にわたってだけ延在することにある。その際、この上側部材の端部領域、詳しく言うとつまり、ヒンジを備えるその端部領域は、この管体のための貫通開口部の長手方向軸線と、このヒンジの両方の部材の間のヒンジの軸線とを通って配置されている、仮想の面によって区画されている。この配設は、旋回運動によって、上側部材と挿入された管体との間の締付け力が発生すること無しに、この管体固定具の上側部材の開放を可能にする。この配設は、このヒンジが、この管体のための貫通開口部の中心面の上方に配設されている場合に特に有利である。
【０００７】
管体固定具の上側部材および下側部材の、本発明による構成は、２つ、または多数の管体固定具を重なり合って積み重ねることを可能にする。このことのために、外方へと整向された、互いに平行に指向する載置面が使用される。これら重なり合って積み重ねられた管体固定具の固定は、その際、貫通孔の内の１つの貫通孔を通ってこれら管体固定具の側方領域内へと差し込まれる、付加的な結合要素を介して行われる。本発明によるこれら管体固定具の組付け可能性によって、簡単な方法で、多層状の管体の束が確実に、且つ迅速に固定され得る。これら重なり合って積み重ねられた管体固定具が、２つの結合要素でもって互いに結合される場合、同様に大きな力も収容され得る。これら管体固定具の最適化された形状において、本発明による管体固定具が、閉鎖された状態において、ほぼ中央においてこの管体のための貫通開口部を備える、直方体形状の外側形状を有する場合は有利である。
【０００８】
次に、図と関連する実施例に基づいて、本発明を詳しく説明する。
【発明を実施するための最良の形態】
【０００９】
図１に図示されている管体固定具は、上側部材１および下側部材２から成っている。これら両方の部材１、２は、閉鎖された状態で、所定の位置内において固持されるべき管体のための貫通開口部３を備えている。図示された実施例において、波形管体のための管体固定具が主眼点であり、そのために、この管体固定具の上側部材１および下側部材２は、この貫通開口部３の領域内においてリブ２３を有しており、これらリブが、この波形管体における相応する凹部内に係合する。この上側部材１、および下側部材２は、ヒンジ４を介して旋回可能に、互いに結合されている。この管体固定具の相対して位置している側面において、この上側部材１および下側部材２は、閉鎖された状態で、解離可能な固定要素５を介して互いの中へ係合し、このことによって、これら両方の部材１、２が、閉鎖された位置内において保持される。これら固定要素５は、有利な方法で、スナップ式ロック部から成っており、このスナップ式ロック部が、一方では弾力のある結合要素１５を、および、他方では拘束部材１６を備えている。この図示された実施例において、この弾力のある結合要素１５は、この下側部材２に設けられており、且つ、フック形状の留め金部を有している。この拘束部材１６は、この上側部材１に設けられた突起部から成り、この突起部が、この結合要素１５の弾力のあるフックと協動する。この結合要素１５は、この上側部材１の旋回、およびこれら両方の要素１５および１６の相互圧縮によっての、この管体固定具の容易な閉鎖を可能にする。この上側部材１の完全な閉鎖の後、付加的な固定手段が操作され、または導入される必要無しに、この上側部材１は、この下側部材２に対して、確実に保持され、且つ固定される。従って、同様にこの貫通開口部３の中へ挿入された管体も、所望の位置内において固定され、且つ保持される。この下側部材２内において、中央の穿孔８が設けられており、この中央の穿孔は、固定手段、例えば、ねじ９を収容するために使用される。この穿孔８は、この管体固定具が開放されており、且つ如何なる管体も挿入されていない限り、この貫通開口部３からアクセス可能である。この開始状態において、従って、この管体固定具は、穿孔８内へと挿入された固定手段９を用いて、支持要素１０に固定、もしくは予組み付けされる。この支持要素１０は、機器または対象物の、適宜の構造体であり、または自体で公知の、スライドするナットを有する支持レールである。この様式の支持レールは、例えば、車両構造内において使用され、且つ、所望の位置内における、この管体固定具の簡単な位置決めを可能にする。両方の側方領域１１、１２内において、この管体固定具は、付加的な貫通孔１３および１４を有しており、これら貫通孔が、この管体固定具と支持要素１０との間の付加的な結合要素を収容するための役目を果たす。軽い負荷の場合、支持要素におけるこの管体固定具の固定は、この穿孔８内へと挿入された固定手段９を用いて十分である。同様に上側部材１と下側部材２との間のスナップ式ロック部５も、その場合に、生じる負荷を収容可能である。比較的に大きな負荷の場合、これら貫通孔１３、１４の内の少なくとも１つの貫通孔内へと、付加的な結合要素、例えばねじが挿入され、このねじが、ナット、または、この支持要素１０のねじ孔と結合される。このことによって、この管体固定具と支持要素１０との間の、著しくより高い力を収容可能である結合が提供される。同時に、この管体固定具の上側部材１および下側部材２も一緒に締付けられ、且つ、高い力を収容可能な結合が提供される。特別に重い負荷のために、例えば鉄道車両の場合、両方の貫通孔１３、１４内へと、それぞれ１つのねじが挿入される。
【００１０】
図２に図示された、図１に従う本発明による管体固定具の上側の上面図は、両方の貫通孔１３、１４の配設、および、同様にヒンジ４の領域内における、両方の管体固定具部材１、２の互いの中への係合を示している。この実施例として図示された管体固定具は、閉鎖された状態で、直方体形状の外側形状を有している。その際、この上側部材１と同様に、この下側部材２も、それぞれ１つの、外方へと整向された載置面６、もしくは７を有している。これら両方の載置面６、７は、互いに平行に指向し、且つ、平坦な組み付け面を形成している。このことによって、２つ、または多数の管体固定具が、重なり合って配置され、即ち、固定された管体の積み重ね体が提供され得る。これら管体固定具の固定は、その際、貫通孔１３、１４を通って差し込まれ且つ支持要素１０と結合される、長いねじを介して行われる。この実施形態は、これら管体固定具の間に、付加的な支持要素、または結合要素が必要とされること無しに、重なり合って配設された管体固定具の積み重ね体を、極めて簡単な方法で可能にする。この管体固定具の下側部材の側方部分１７、１８は、貫通開口部３の中心軸線１９を越えて、この上側部材１の方向に延在している。この構成は、この上側部材１が閉鎖されるまで、この貫通開口部３内へと挿入されている管体が良好に案内されるという付加的な利点を伴う。
【００１１】
多くの使用分野内において、管体固定具でもって固定されるべき多数の管体が、互いに並列して延在しているので、これら管体固定具を、できるだけ近傍に互いに並列して配設することの願望が存在する。このことは、本発明による管体固定具において、ヒンジ４が、その内において下側部材２の延長された側方部分１８と、上側部材１の載置面６とがぶつかり合う、その角部内において設けられている場合に可能となる。この配設のおかげで、この上側部材１は、旋回運動の際に、この管体固定具の横の側方領域内において、如何なる付加的なスペースも、運動のために必要ではない。このことは、隣接する管体固定具が、側面と側面がぴったり並んで、接し合って当接されるという利点をもたらす。このヒンジ４を中心としての上側部材１の旋回を可能とするために、この上側部材１の内側領域は、この内側領域が、ただ貫通開口部３の周囲の１８０°以下の領域にわたってだけ延在するように構成されている。図示された実施例において、この内側領域２４は、ただ約１４０°の角度セグメントにわたってだけ延在し、その際、この角度セグメントが、一方ではこの貫通開口部３の中心軸線１９によって、および、他方では仮想の面２１によって区画される。この仮想の面２１は、この貫通開口部３の中央の長手方向軸線と、このヒンジ４の軸線２２とを通って配置されている。この仮想の面２１は、この上側部材１の端部領域２０を区画している。この中心軸線１９に対するヒンジ４の構造的な構成および配設に応じて、その角度領域にわたってこの上側部材１の内側領域２４が延在する、この角度領域は、変化する。
【００１２】
実施例として記載された管体固定具の、図３に図示された断面図から、支持要素１０におけるこの管体固定具、即ち、下側部材２の固定が認識可能である。この支持要素１０は、例えば、ケーシング壁部である。この支持要素１０は、その際、ねじ孔２６を有しており、このねじ孔内へと、穿孔８を通って差し込まれたねじ９が係合する。このねじ孔２６の両側に、この支持要素１０内において、２つの更に別のねじ孔２７、２８が設けられている。これらねじ孔は、貫通孔１３および１４内へと挿入されたねじの収容部の役目を果たす。図示されているように、上側部材１はヒンジ４を中心として旋回可能であり、従って、管体固定具の両方の部材１、２が開放され、且つ、例えば図示されたように、波形管体が、貫通開口部３内へと納められる。この後、この上側部材１は旋回によって閉鎖され、且つ、下側部材２内への押し込みによって、スナップ式ロック部５が作用される。その際、上側部材１における拘束部材１６が、下側部材２における弾力のある結合要素１５のフック内へと係止し、このことによって、これら両方の部材１、２の間の形状一体的、および、力一体的な結合が得られる。本発明による様式の管体固定具は、合成物質技術を用いて、容易に、且つ安いコストで製造可能である。同様にこれら管体固定具の組み付け自体、並びに管体の挿入も極めて簡単であり、且つ、ただ僅かな時間の消費だけを必要とする。ただ極めて僅かな部材だけ必要である。何故ならば、この管体固定具は、本発明により、この管体固定具が従来の手段を用いて予組み付けされ、且つ、固定ねじの数の選択によって、軽い負荷および重い負荷に関する全ての領域がカバーされるように形成されているからである。付加的な手段を必要とすること無しに、これら管体固定具が重なり合って積み重ねられ、且つ従って、重なり合って位置する管体の層状態で固定され得ることによって、著しい時間の利点、およびコストの利点が得られる。
【図面の簡単な説明】
【００１３】
【図１】閉鎖された状態における、本発明による管体固定具の図である。
【図２】図１による管体固定具の上面の図である。
【図３】開いた状態における、本発明による管体固定具の断面図である。
【図１】
2006500530.tif 000003
【図２】
2006500530.tif 000004
【図３】
2006500530.tif 000005
【国際調査報告】
2006500530.tif 000006
2006500530.tif 000007
2006500530.tif 000008
2006500530.tif 000009